(57)【要約】【課題】特別な装備を有さない者でも、個人情報が保護された形で運転免許証等の画像データを簡単な操作でサーバに送信でき、年齢認証付の電子マネーIDを取得可能とする技術を提供する。【解決手段】サーバ12とＭＭＫ端末38からなる年齢認証システム10であって、ＭＭＫ端末38は、スキャナ46と、スキャナ46によって取り込まれた身分証明書の画像データの中で、生年月日以外の領域に隠蔽用マスク67を被せる手段と、この画像データをサーバ12に送信する手段と、サーバ12から送信された年齢認証IDを出力するプリンタ50を備え、サーバ12は、ＭＭＫ端末38から送信された身分証明書の画像データから生年月日を読み取る手段と、この生年月日に基づいてユーザが年齢条件を満たしているか否かを判定し、年齢条件を満たしている場合にユニークな年齢認証IDを当該ユーザのメールアドレスに関連付けて年齢認証ID記憶部16に格納する手段と、年齢認証IDをＭＭＫ端末38に送信する手段を備えた。【選択図】図１
2010079877.tif 000002
【特許請求の範囲】
【請求項１】
サーバと、公共スペースに設置され、上記サーバとネットワーク接続された複数の端末装置からなる年齢認証システムであって、
上記の各端末装置は、ユーザの身分証明書の画像データを取り込むスキャナと、
取り込まれた身分証明書の画像データの中で、生年月日以外の領域の少なくとも一部に対して隠蔽化処理を施す手段と、
この隠蔽化処理された画像データを上記サーバに送信する手段を備え、
上記サーバは、各端末装置から送信されたユーザの身分証明書の画像データから生年月日を読み取る手段と、
この生年月日に基づいて、当該ユーザが所定の年齢条件を満たしているか否かを判定する手段と、
所定の年齢条件を満たしている場合に、ユニークな年齢認証IDを当該ユーザの属性情報に関連付けて年齢認証ID記憶手段に格納する手段と、
上記年齢認証IDまたはこれと関連付けられた整理番号を上記端末装置に送信する手段を備えたことを特徴とする年齢認証システム。
【請求項２】
サーバと、公共スペースに設置され、上記サーバとネットワーク接続された複数の端末装置からなる年齢認証システムであって、
上記の各端末装置は、ユーザの身分証明書の画像データを取り込むスキャナと、
取り込まれた身分証明書の画像データから生年月日を読み取る手段と、
この生年月日データを上記サーバに送信する手段を備え、
上記サーバは、各端末装置から送信された生年月日に基づいて、当該ユーザが所定の年齢条件を満たしているか否かを判定する手段と、
所定の年齢条件を満たしている場合に、ユニークな年齢認証IDを当該ユーザの属性情報に関連付けて年齢認証ID記憶手段に格納する手段と、
上記年齢認証IDまたはこれと関連付けられた整理番号を上記端末装置に送信する手段を備えたことを特徴とする年齢認証システム。
【請求項３】
サーバと、公共スペースに設置され、上記サーバとネットワーク接続された複数の端末装置からなる年齢認証システムであって、
上記の各端末装置は、ユーザの電子メールアドレスを入力する手段と、
ユーザの身分証明書の画像データを取り込むスキャナと、
取り込まれた身分証明書の画像データの中で、生年月日以外の領域の少なくとも一部に対して隠蔽化処理を施す手段と、
この隠蔽化処理された画像データ及び電子メールアドレスを上記サーバに送信する手段を備え、
上記サーバは、各端末装置から送信されたユーザの身分証明書の画像データから生年月日を読み取る手段と、
この生年月日に基づいて、当該ユーザが所定の年齢条件を満たしているか否かを判定する手段と、
所定の年齢条件を満たしている場合に、ユニークな年齢認証IDを各端末から送信されたユーザの電子メールアドレスに関連付けて年齢認証ID記憶手段に格納する手段と、
上記年齢認証IDを記述した電子メールを生成し、当該ユーザの電子メールアドレス宛に送信する手段を備えたことを特徴とする年齢認証システム。
【請求項４】
サーバと、公共スペースに設置され、上記サーバとネットワーク接続された複数の端末装置からなる年齢認証システムであって、
上記の各端末装置は、ユーザの電子メールアドレスを入力する手段と、
ユーザの身分証明書の画像データを取り込むスキャナと、
取り込まれた身分証明書の画像データから生年月日を読み取る手段と、
この生年月日データを上記サーバに送信する手段を備え、
上記サーバは、各端末装置から送信された生年月日に基づいて、当該ユーザが所定の年齢条件を満たしているか否かを判定する手段と、
所定の年齢条件を満たしている場合に、ユニークな年齢認証IDを各端末から送信されたユーザの電子メールアドレスに関連付けて年齢認証ID記憶手段に格納する手段と、
上記年齢認証IDを記述した電子メールを生成し、当該ユーザの電子メールアドレス宛に送信する手段を備えたことを特徴とする年齢認証システム。
【請求項５】
上記サーバは、各ユーザの年齢認証IDと貨幣価値を備えたポイントの残高との対応関係を格納しておく電子マネー記憶手段と、
他のコンピュータシステムから年齢認証ID及び決済金額情報を伴う決済要求が送信された場合に、上記電子マネー記憶部を参照し、当該年齢認証IDに関連付けられたポイント残高を取得する手段と、
このポイント残高が決済金額以上である場合に、ポイント残高から決済金額に対応するポイント分を減ずると共に、決済完了の通知を上記他のコンピュータシステムに送信する手段を備えたことを特徴とする請求項１〜４の何れかに記載の年齢認証システム。
【請求項６】
上記年齢認証IDが、国際電話の国番号を含む文字列よりなることを特徴とする請求項１〜５の何れかに記載の年齢認証システム。
【発明の詳細な説明】
【技術分野】
【０００１】
この発明は年齢認証システムに係り、特に、通信ネットワークを介した商品・サービス販売の前提として所定の年齢制限が設けられている場合に、特定ユーザが当該年齢条件を満たしていることを認証するシステムに関する。
【背景技術】
【０００２】
インターネットの普及に伴い、最近では一般ユーザが携帯電話やパソコンを通じてインターネット上に開設された電子モールにアクセスし、家電製品や衣料品、書籍、DVD等の商品を購入することが当たり前となりつつある。また、インターネット経由でコンテンツサーバにアクセスし、動画や音声ファイルをダウンロードする機会も増えてきている。
【０００３】
このような、通信ネットワーク経由で取引される商品や情報コンテンツには、その内容からして一定の年齢以上のユーザに対してのみ提供されるべきものが存在する。例えば、煙草や酒類は成人にのみ販売されるべきであり、アダルト系のコンテンツは18歳以上の者にのみ販売または配信されるべきである。
このため、アダルト系コンテンツの配信サイトなどでは、Webページの閲覧や会員登録の前提条件として、ユーザが18歳以上であることを宣誓するステップを設けている場合がある。
【０００４】
しかしながら、これはユーザの自己申告に基づくものであり、18歳未満の者が18歳以上であると偽って入場することを排除できないという問題があった。
そこで、特許文献１に示すように、年齢認証機能を備えた電子マネー管理サーバがすでに考案されている。
【特許文献１】特開２００８−２７１５５号
【０００５】
この特許文献１の技術は、運転免許証等の公的な身分証明書によって成人であることが確認されたユーザに対して電子マネーID（例えば16桁の文字列）を発行しておき、当該ユーザが有料情報提供サイトからコンテンツを購入するに際してこの年齢認証付電子マネーIDを入力することにより、年齢認証を行うというものである。この結果ユーザは、コンテンツを購入する度に年齢認証ステップを辿る煩わしさから解放される。
【０００６】
また、コンテンツ提供側にとっても、事前に運転免許証等で当該ユーザが年齢条件をクリアしていることを確認できるため、未成年者に誤って成人向けのコンテンツを配信してしまうことがなくなる。
【０００７】
今後、未成年者保護や社会秩序維持の名目で法的規制が強化されると共に、これに違反した場合のペナルティも厳罰化の方向に向かうことが予想されるため、特許文献１の技術は、ユーザ及び販売者双方にとって有益な結果をもたらすことが期待できる。
【発明の開示】
【発明が解決しようとする課題】
【０００８】
ただし、この特許文献１の技術の場合、生年月日が判別可能な身分証明書の画像データをメールに添付して電子マネー管理サーバに送信し、年齢認証を受ける必要があり、その前提として、スキャナやデジタルカメラを用いて運転免許証等の画像データをパソコンや携帯電話に取り込み、電子メールに添付して送信する煩わしさがあった。
また、スキャナやデジタルカメラ、カメラ付きの携帯電話を所有していないユーザは、年齢認証付電子マネーIDを取得することすらできなかった。
さらに、個人情報の流出を懸念し、運転免許証等の画像をそのまま添付ファイルとして送信することに抵抗を感じる向きも多かった。
【０００９】
この発明は上記の問題を解決するために案出されたものであり、特別な装備を有さないユーザであっても、個人情報が保護された形で運転免許証等の画像データを簡単な操作でサーバに送信でき、年齢認証付電子マネーIDを取得可能とする技術の実現を目的としている。
【課題を解決するための手段】
【００１０】
上記の目的を達成するため、請求項１に記載した年齢認証システムは、サーバと、公共スペースに設置され、上記サーバとネットワーク接続された複数の端末装置からなる年齢認証システムであって、上記の各端末装置は、ユーザの身分証明書の画像データを取り込むスキャナと、取り込まれた身分証明書の画像データの中で、生年月日以外の領域の少なくとも一部に対して隠蔽化処理を施す手段と、この隠蔽化処理された画像データを上記サーバに送信する手段を備え、上記サーバは、各端末装置から送信されたユーザの身分証明書の画像データから生年月日を読み取る手段と、この生年月日に基づいて、当該ユーザが所定の年齢条件を満たしているか否かを判定する手段と、所定の年齢条件を満たしている場合に、ユニークな年齢認証ID（＝年齢認証付電子マネーID）を当該ユーザの属性情報に関連付けて年齢認証ID記憶手段に格納する手段と、上記年齢認証IDまたはこれと関連付けられた整理番号を上記端末装置に送信する手段を備えたことを特徴としている。
上記の「隠蔽化処理」としては、例えば、画像データの生年月日以外の領域に隠蔽用のマスクを被せることや、モザイク処理を施すことが該当する（以下同様）。
【００１１】
請求項２に記載した年齢認証システムは、サーバと、公共スペースに設置され、上記サーバとネットワーク接続された複数の端末装置からなる年齢認証システムであって、上記の各端末装置は、ユーザの身分証明書の画像データを取り込むスキャナと、取り込まれた身分証明書の画像データから生年月日を読み取る手段と、この生年月日データを上記サーバに送信する手段を備え、上記サーバは、各端末装置から送信された生年月日に基づいて、当該ユーザが所定の年齢条件を満たしているか否かを判定する手段と、所定の年齢条件を満たしている場合に、ユニークな年齢認証IDを当該ユーザの属性情報に関連付けて年齢認証ID記憶手段に格納する手段と、上記年齢認証IDまたはこれと関連付けられた整理番号を上記端末装置に送信する手段を備えたことを特徴としている。
【００１２】
請求項３に記載した年齢認証システムは、サーバと、公共スペースに設置され、上記サーバとネットワーク接続された複数の端末装置からなる年齢認証システムであって、上記の各端末装置は、ユーザの電子メールアドレスを入力する手段と、ユーザの身分証明書の画像データを取り込むスキャナと、取り込まれた身分証明書の画像データの中で、生年月日以外の領域の少なくとも一部に対して隠蔽化処理を施す手段と、この隠蔽化処理された画像データ及び電子メールアドレスを上記サーバに送信する手段を備え、上記サーバは、各端末装置から送信されたユーザの身分証明書の画像データから生年月日を読み取る手段と、この生年月日に基づいて、当該ユーザが所定の年齢条件を満たしているか否かを判定する手段と、所定の年齢条件を満たしている場合に、ユニークな年齢認証IDを各端末から送信されたユーザの電子メールアドレスに関連付けて年齢認証ID記憶手段に格納する手段と、上記年齢認証IDを記述した電子メールを生成し、当該ユーザの電子メールアドレス宛に送信する手段を備えたことを特徴としている。
【００１３】
請求項４に記載した年齢認証システムは、サーバと、公共スペースに設置され、上記サーバとネットワーク接続された複数の端末装置からなる年齢認証システムであって、上記の各端末装置は、ユーザの電子メールアドレスを入力する手段と、ユーザの身分証明書の画像データを取り込むスキャナと、取り込まれた身分証明書の画像データから生年月日を読み取る手段と、この生年月日データを上記サーバに送信する手段を備え、上記サーバは、各端末装置から送信された生年月日に基づいて、当該ユーザが所定の年齢条件を満たしているか否かを判定する手段と、所定の年齢条件を満たしている場合に、ユニークな年齢認証IDを各端末から送信されたユーザの電子メールアドレスに関連付けて年齢認証ID記憶手段に格納する手段と、上記年齢認証IDを記述した電子メールを生成し、当該ユーザの電子メールアドレス宛に送信する手段を備えたことを特徴としている。
【００１４】
請求項５に記載した年齢認証システムは、請求項１〜４のシステムであって、さらに上記サーバが、各ユーザの年齢認証IDと貨幣価値を備えたポイントの残高との対応関係を格納しておく電子マネー記憶手段と、他のコンピュータシステムから年齢認証ID及び決済金額情報を伴う決済要求が送信された場合に、上記電子マネー記憶部を参照し、当該年齢認証IDに関連付けられたポイント残高を取得する手段と、このポイント残高が決済金額以上である場合に、ポイント残高から決済金額に対応するポイント分を減ずると共に、決済完了の通知を上記他のコンピュータシステムに送信する手段を備えたことを特徴としている。
【００１５】
請求項６に記載した年齢認証システムは、請求項１〜５に記載のシステムであって、さらに、上記年齢認証IDが国際電話の国番号を含む文字列よりなることを特徴としている。
【発明の効果】
【００１６】
この発明に係る年齢認証システムによれば、駅や空港、コンビニ等の店舗内に設置された端末装置を介して、身分証明書の画像データの取り込みとサーバへの送信が完了するため、スキャナ等の装備を有さないユーザであっても、簡便に年齢認証付の電子マネーIDを取得することが可能となる。
しかも、サーバへ身分証明書の画像データを送信する際には、端末装置において画像データに対する隠蔽化処理が施されるため、年齢認証に必要な生年月日以外の個人情報が流出する危険性を低減できる。
【発明を実施するための最良の形態】
【００１７】
図１は、この発明に係る年齢認証システム10の全体像を示すシステム構成図であり、図示の通り、この年齢認証システム10は、年齢認証機能付電子マネー管理サーバ12を中心に構成される。
【００１８】
年齢認証機能付電子マネー管理サーバ12は、年齢認証部14と、年齢認証ID記憶部16と、ポイント充填部18と、電子マネーＤＢ20と、決済処理部22とを備えている。
上記の年齢認証部14、ポイント充填部18及び決済処理部22は、年齢認証機能付電子マネー管理サーバ12のＣＰＵが、OS及び専用のアプリケーションプログラムに従って必要な処理を実行することにより実現される。
また、上記の年齢認証ID記憶部16及び電子マネーＤＢ20は、年齢認証機能付電子マネー管理サーバ12のハードディスク内に設けられている。
年齢認証機能付電子マネー管理サーバ12は、単一のサーバコンピュータで構成することもできるが、複数のサーバコンピュータをネットワーク接続して構成してもよい。
【００１９】
年齢認証機能付電子マネー管理サーバ12には、通信ネットワークを介して、ユーザ端末30、コンテンツサーバ32、一般電子マネー管理サーバ36、ＭＭＫ（Multimedia Kiosk）端末38、運営者の操作端末39、POSレジ端末40が接続される。
コンテンツサーバ32は、通信ネットワークを介して、ユーザ端末30及び一般電子マネー管理サーバ36と接続されている。
【００２０】
ユーザ端末30としては、図示したＰＣの他に、携帯電話や通信機能を備えたＰＤＡ（Personal Digital Assistant／携帯情報端末）であってもよい。
コンテンツサーバ32の代わりに、ショッピングモールサーバと接続される場合もある。
ＰＯＳレジ端末40には、プリンタ41が接続されている。
【００２１】
ＭＭＫ端末38は、駅や空港、コンビニエンスストア、スーパーマーケット等の公共スペース内に設置されている情報端末であり、図２に示すように、ＣＰＵ42と、メモリ43と、ハードディスク44と、タッチパネル付ディスプレイ45と、スキャナ46と、通信制御部47と、クレジットカードやキャッシュカード、非接触型電子マネー等のカードリーダ48と、赤外線通信モジュール49と、プリンタ50とを備えている。
【００２２】
ＭＭＫ端末38のハードディスク44内には、ＯＳ及びアプリケーションプログラムが格納されており、これらのプログラムに従ってＣＰＵ42が所定の処理を実行することにより、後述の各種機能が実現される。
【００２３】
以下、図３のフローチャートに従い、年齢認証付電子マネーIDの取得手順について説明する。
まず、年齢認証付電子マネーIDの利用を希望するユーザは、ＭＭＫ端末38のタッチパネル付ディスプレイ45をタッチし、図４(a)に示すように、ジックID申込画面60を表示させる（Ｓ10）。
【００２４】
つぎにユーザは「ジックID取得」ボタンをタッチし、ジックIDの取得をリクエストする。ここで「ジックID」とは、年齢認証付電子マネーIDを意味する。
【００２５】
この結果、図４(b)に示すように、メールアドレス入力画面61がＭＭＫ端末38のディスプレイ45に表示される（Ｓ12）。
これに対しユーザは、画面上に表示されたキーボード62の英数キーをタッチして自己のメールアドレスを入力した後、「ＯＫ」ボタンをタッチする。
【００２６】
これを受けたＭＭＫ端末38のＣＰＵ42は（Ｓ14）、図４(c)に示すように、身分証明書読み取り案内画面63をディスプレイ45に表示させる（Ｓ16）。
【００２７】
これに従いユーザは、図５に示すように、スキャナ46の蓋46aを開け、走査面46b上に運転免許証65を裏返しにして載置する。運転免許証の代わりに、健康保険証やパスポート等であってもよい。
つぎにユーザは、蓋46aを閉めてディスプレイ45上に表示された「読み取り開始」ボタン（図示省略）をタッチすると、スキャナ46によって運転免許証65の表面がスキャニングされる（Ｓ18）。
【００２８】
つぎに、ＭＭＫ端末38のＣＰＵ42は、読み込んだ運転免許証の画像に対し、不要な表示領域（氏名・本籍・住所欄、顔写真部分等）を隠蔽するマスク処理を施した上で（Ｓ20）、図６に示すように、ディスプレイ45上に確認画面66を表示させる（Ｓ22）。
【００２９】
この確認画面66には、運転免許証65の表面の画像が表示されているが、氏名・本籍・住所欄、顔写真部分、運転免許証番号表示欄等、個人情報に係る部分には隠蔽用マスク67がオーバーラップされており、生年月日表示欄68のみが明確に表示されている。隠蔽用マスク67をオーバーラップさせる代わりに、隠蔽すべき領域にモザイク処理を施すことで、個人情報を隠蔽することもできる。
【００３０】
このＭＭＫ端末38によるマスク処理は、例えば以下の手順で実現される。
(1)OCR機能を用いて、読み取った画像データ中からテキストデータを抽出し、そのテキスト中から「運転免許証」や「国民健康保険被保険者証」等、身分証明書の種類を表す文字列を探索する。
(2)身分証明書の種類毎に予め用意された複数のマスクパターンの中から、上記文字列によって特定された身分証明書の種類にマッチするマスクパターンを取り出し、スキャニングした画像データに重ね合わせる。
なお、(1)のようにOCR機能を用いて身分証明書の種類を自動認識する代わりに、ディスプレイ45上に身分証明書の種類を選択するための画面を表示させ、ユーザに種類を特定させるようにしてもよい。
【００３１】
確認画面66において運転免許証の上下が反対になっていた場合や、隠蔽用マスク67がずれていた場合には、置き方が適切でなかったことが考えられるため、ユーザは「やり直し」ボタンをタッチし、身分証明書を置き直す。
【００３２】
これに対し、身分証明書が正しい向きで表示され、かつ個人情報部分に隠蔽用マスク67が正しく配置されている場合、ユーザは確認画面66上の「ＯＫ」ボタンをタッチする。この結果、個人情報が隠蔽された運転免許証の画像データが、ユーザの電子メールアドレスと共に年齢認証部14に送信される（Ｓ24）。この画像データの送信が完了した後、ＭＭＫ端末38側において画像データは消去される。
【００３３】
ＭＭＫ端末38からの画像データを受信した年齢認証部14は、OCR機能を用いて上記画像データから生年月日を抽出し（Ｓ26）、現時点でユーザが所定の年齢（例えば満20歳）に達しているか否かを判定する（Ｓ28）。
【００３４】
そして、所定の年齢に達しているものと認証された場合、年齢認証部14は所定桁数（例えば16桁）のユニークなジックIDを当該ユーザに付与する。具体的には、図７に示すように、当該ユーザの電子メールアドレスとジックID、登録年月日を備えたレコードを、年齢認証ID記憶部16に格納する（Ｓ30）。
これに対し、所定の年齢に達していないものと判定された場合には、年齢認証部14からエラーメッセージが送信され、ＭＭＫ端末38のディスプレイ45に表示される。
【００３５】
なお、上記のＳ26及びＳ28におけるように、OCR機能を用いて身分証明書の画像データから生年月日を抽出し、ユーザが所定の年齢に達しているか否かを年齢認証部14が自動判定する代わりに、年齢認証機能付電子マネー管理サーバ12の管理者が目視確認することもできる。
具体的には、ＭＭＫ端末38から身分証明書の画像データが送信されると、年齢認証部14によって管理者の操作端末39に転送される。これに対し管理者は、操作端末39のディスプレイに画像データを表示させ、生年月日からユーザの満年齢を計算し、所定の年齢に達していると判断した場合には、年齢認証部14に認証完了の電文を送信する。
これを受けた年齢認証部14は、上記と同様、当該ユーザの電子メールアドレスとジックID、登録年月日を備えたレコードを年齢認証ID記憶部16に格納する。
【００３６】
年齢認証が取れた場合、年齢認証部14は、ジックIDをＭＭＫ端末38に送信し（Ｓ32）、プリンタ50を介してジックIDを記載したシートを発券させる（Ｓ34）。図８(a)は、ジックID記載シートを示すものであり、16桁の数字の組合せからなるユニークなジックIDが印字されている。
同時に年齢認証部14は、上記のジックIDが本文欄に記述された告知メールを生成し、ユーザの電子メールアドレス宛に送信する（Ｓ36）。図８(b)は、この告知メールを示すものである。
【００３７】
以上の通り、ユーザはコンビニの店舗内等に設置されたＭＭＫ端末38を利用することにより、極めて簡便に身分証明書の画像データを年齢認証部14に送信し、年齢認証付電子マネーIDであるジックIDを取得することが可能となる。
しかも、身分証明書の画像をスキャナ46で読み込む際、顔写真や氏名、本籍、住所等の個人情報が有効に隠蔽され、そのままの状態で年齢認証部14に送信されるため、個人情報の流出を有効に防止可能となる。
【００３８】
上記にあっては、ユーザが電子メールアドレスをタッチ入力する例を示したが、赤外線通信機能を備えた携帯電話を用いて入力することもできる。例えば、ディスプレイ45に「入力方法の選択画面」（図示省略）を表示させ、ユーザが「赤外線通信」を選択した場合、ディスプレイ45に「赤外線通信の案内画面」（図示省略）を表示させる。これに従い、ユーザが自己の携帯電話の赤外線通信ポートをＭＭＫ端末38の赤外線通信モジュール49に近づけ、必要なコマンドを操作すると、携帯電話に格納された自己の電子メールアドレスがＭＭＫ端末38に送信される。
【００３９】
あるいは、ユーザはユーザ端末30を介して事前に自己の電子メールアドレスを年齢認証部14に登録しておくこともできる。以下にその手順を説明する。
(1) ユーザ端末30から年齢認証部14にアクセスし、電子メールアドレスの事前登録をリクエストすると、年齢認証部14から電子メールアドレス入力画面が送信される。
(2) これに対しユーザが電子メールアドレス入力すると、年齢認証部14から上記電子メールアドレス宛に、ユニークな受付番号が記載された案内メールが送信される。
(3) ユーザは最寄りのＭＭＫ端末38に上記案内メールの写しを持参し、ディスプレイ45に表示された受付番号入力画面に受付番号を入力する。
(4) この結果、ＭＭＫ端末38のディスプレイ45には、図４(c)の身分証明書読み取り案内画面63が表示され、身分証明書のスキャニング及び年齢認証処理が実行される（図３のＳ18〜Ｓ36）。
【００４０】
また、上記にあっては、ＭＭＫ端末38から送信された身分証明書の画像データに対し、年齢認証機能付電子マネー管理サーバ12の年齢認証部14が、OCR機能を用いて生年月日を抽出する例を示したが、ＭＭＫ端末38側でOCR機能を用いた生年月日の抽出処理を実行し、その処理結果である生年月日データのみを年齢認証部14に送信するようにしてもよい。
【００４１】
また、上記にあっては、ＭＭＫ端末38のプリンタ50からジックID記載シートが直接発券される例を示したが、この方法に限定されるものではない。例えば、以下の代替方法が考えられる。
(1) 年齢認証部14からＭＭＫ端末38に対し、ジックIDと関連付けられたユニークな整理番号が文字列及びバーコードの形で記載された整理券の発行指令が送信される。
(2) ＭＭＫ端末38のプリンタ50から、整理券が発券される。
(3) ユーザがこの整理券をレジに持って行くと、整理券のバーコードがＰＯＳレジ端末40のハンディスキャナで読み込まれ、年齢認証部14に整理番号が送信される。
(4) 年齢認証部14からＰＯＳレジ端末40に対応のジックIDが送信される。
(5) ＰＯＳレジ端末40に接続されたプリンタ41からジックID記載シートがプリントアウトされ、ユーザに手渡される。
【００４２】
ジックIDを入手したユーザは、引き続きＭＭＫ端末38を通じてジックポイントのチャージを行うことができる。以下、図９に従い、ジックポイントのチャージ方法について説明する。
【００４３】
まずユーザは、ＭＭＫ端末38の階層メニューを辿り、図９(a)に示すように、ディスプレイ45上にジックポイントの追加画面75を表示させる。
つぎにユーザは、画面上に表示されたテンキーボード76をタッチして、自己に割り当てられた１６桁のジックIDを入力し、「ＯＫ」ボタンをタッチする。
【００４４】
この結果、図９(b)に示すように、ポイント追加方法及び金額選択画面77が表示される。
ここで「ポイント追加方法」とは、チャージ金額の決済方法を意味しており、ユーザは現金やクレジットカードを選択することができる。図においては、「現金」が選択されている。
【００４５】
ユーザがポイント追加方法及びチャージ金額を選択し、「ＯＫ」ボタンをタッチすると、図９(c)に示すように、ディスプレイ45に確認画面78が表示される。
この確認画面78に表示されたジックID、追加方法、金額をユーザが確認し、「ＯＫ」ボタンをタッチすると、ＭＭＫ端末38からポイント充填部18にジックID、追加方法、金額が送信される。
【００４６】
これを受けたポイント充填部18からは、現金支払用の伝票データが送信され、図９(d)に示すように、ＭＭＫ端末38のプリンタ50を介して現金支払伝票79が発券される。この伝票79には、ジックIDと関連付けられたユニークな整理番号及びチャージ金額を含むバーコードが表示されている。
【００４７】
ユーザはこの現金支払伝票49をレジに持参し、チャージ金額分の現金をレジスタッフに支払う。
レジスタッフは、現金支払伝票49のバーコードをPOSレジ端末40のバーコードリーダで読み込み、支払金額情報と共にポイント充填部18に送信する。
【００４８】
ポイント充填部18は、該当の整理番号に関連付けられた金額と、POSレジ端末40から送信された支払金額情報が一致していることを確認した上で、電子マネーＤＢ20にチャージ金額を登録する。
すなわち、図１０に示すように、電子マネーＤＢ20にはジックID、残高ポイント、更新日時のデータ項目を備えたテーブルが格納されており、ポイント充填部18は残高ポイントのデータ項目にチャージ金額分の「10,000」を加算する。
【００４９】
この後、ポイント充填部18からPOSレジ端末40に対して残高情報が送信され、ジックポイント残高が印字されたレシートが発行される。
このレシートは、ユーザに交付される。
【００５０】
ユーザがポイント追加方法として「クレジットカード」を選択した場合も、決済手段として現金の代わりにクレジットカードが用いられる点を除き、上記とほぼ同様の手順が実行され、ジックポイントのチャージが行われる。
【００５１】
以後ユーザは、ジックIDにチャージされたジックポイントを決済手段として用いることにより、成人指定された商品（情報コンテンツを含む）やサービスを、個別の年齢認証ステップを踏むことなく、今回チャージした金額分購入することが可能となる。
【００５２】
ユーザは、ユーザ端末30経由で自己のジックIDにジックポイントをチャージすることもできる。以下、図１１の画面遷移図に従い、この場合の手順について説明する。
【００５３】
まず、ジックIDに対してジックポイントのチャージを希望するユーザは、ユーザ端末30から年齢認証機能付電子マネー管理サーバ12のポイント充填部18にアクセスする。この結果、図１１(a)に示すように、ジックポイントの追加画面82がポイント充填部18から送信され、ユーザ端末30のWebブラウザ上に表示される。
【００５４】
これに対しユーザは、自己に割り当てられた１６桁のジックIDを入力すると共に、ポイント追加方法及びチャージ金額を選択入力する。図においては、ポイント追加方法として、一般電子マネー管理サーバ36が管理している「セキュリティマネー」という電子マネーが選択されている。
つぎに、ユーザが「次へ」ボタンをクリックすると、図１１(b)に示すように、ポイント充填部18から確認画面83が送信される。
この確認画面83に表示されたジックID、追加方法、金額をユーザが確認し、「ＯＫ」ボタンをクリックすると、図１１(c)に示すように、ポイント充填部18からセキュリティマネー用の決済画面84が送信される。
【００５５】
これに対しユーザは、セキュリティマネーのプリペイド番号（例えば１６桁のユニークな文字列）を入力し、「実行」ボタンをクリックする。
ユーザ端末30からプリペイド番号を受信したポイント充填部18は、これを一般電子マネー管理サーバ36に送信し、チャージ金額分の決済を依頼する。
【００５６】
そして、一般電子マネー管理サーバ36から決済完了の電文が送信されると、ポイント充填部18は電子マネーＤＢ20にチャージ金額を登録する。
【００５７】
つぎに、図１１(d)に示すように、ポイント充填部18から決済完了報告画面85がユーザ端末30に送信され、Webブラウザ上に表示される。この画面上には、決済日時、消費ポイントの他に、セキュリティマネーの残高情報も表示されている。
【００５８】
ここでユーザが「ＯＫ」ボタンをクリックすると、図１１(e)に示すように、チャージ完了画面86が表示される。
【００５９】
以下、図１２の画面遷移図に従い、ジックポイントを用いた情報コンテンツの購入方法について説明する。
まず、ジックポイントを用いたコンテンツの購入を希望するユーザは、ユーザ端末30からコンテンツサーバ32にアクセスする。
そして、コンテンツサーバ32に用意されたカテゴリ別の階層メニューを辿り、あるいは検索機能を駆使して目的のコンテンツを見出したユーザは、図１２(a)に示すように、商品購入画面90において「購入」ボタンをクリックする。
【００６０】
この結果、図１２(b)に示すように、コンテンツサーバ32から決済方法の選択画面91が送信される。
この画面においてユーザがジックポイントを決済手段として選択し、「次へ」ボタンをクリックすると、年齢認証機能付電子マネー管理サーバ12の決済処理部22に対しジックポイントによる決済リクエストが送信され、図１２(c)に示すように、ジックIDの入力画面92が決済処理部22からユーザ端末30に送信される。
【００６１】
これに対しユーザは、１６桁のジックIDを入力し、「決済」ボタンをクリックする。
ユーザ端末30からジックIDを受信した決済処理部22は、送信されたジックIDをキーに電子マネーＤＢ20を検索し、当該ジックIDの残高ポイントを確認する。そして「残高ポイント≧決済金額」である場合には、残高ポイントから決済金額分（300ポイント）を減算した後、コンテンツサーバ32に対して決済完了の電文を送信する。
【００６２】
つぎに、図１２(d)に示すように、決済処理部22から決済完了報告画面93がユーザ端末30に送信され、Webブラウザ上に表示される。この画面上には、決済日時、消費ポイントの他に、ジックポイントの残高情報も表示されている。
【００６３】
ここでユーザが「ＯＫ」ボタンをクリックすると、図１２(e)に示すように、ダウンロード開始画面94がコンテンツサーバ32から送信され、ユーザ端末30のWebブラウザ上に表示される。
これに対しユーザが「ダウンロード開始」のアンカーテキストをクリックすると、コンテンツサーバ32からコンテンツデータが送信され、ユーザ端末30上でのストリーミング再生あるいはファイル保存が可能となる。
【００６４】
上記のように、ユーザは年齢認証機能付電子マネー管理サーバ12によって発行された年齢認証済のジックIDを決済手段として用いることにより、本来、個別に年齢認証が求められる商品やサービスの購入に際し、年齢認証ステップをスキップすることができる。
【００６５】
上記の実施形態においては、ジックポイントのチャージやジックポイントを用いた決済に際して、ユーザにはジックIDの入力のみが求められる例を示したが、ジックIDの他にパスワードの入力を求めることにより、セキュリティ性を高めることもできる。
この場合、ユーザは事前に自己のパスワードを年齢認証機能付電子マネー管理サーバ12に登録しておく。このために、管理サーバ12側には、ジックIDとパスワードとの対応関係を格納するためのデータベースが用意される。
【００６６】
そして、ジックポイントのチャージに際し、ポイント充填部18は上記データベースを参照し、ユーザが入力したジックIDとパスワードの組合せが正当であることをチェックした上で、ジックポイントのチャージを認める。
同様に、ジックポイントを用いた決済に際し、決済処理部22は上記データベースを参照し、ユーザが入力したジックIDとパスワードの組合せが正当であることをチェックした上で、ジックポイントを用いた決済を認める。
【００６７】
上記においては、16桁の乱数からなるジックIDを年齢認証IDとして例示したが、年齢認証IDの桁数は16桁に限定されるものではない。
また、所定桁数の一部に国際電話の国番号を挿入させたものを年齢認証IDとして利用することもできる。
例えば、16桁のジックIDの上３桁を「００１（アメリカの国番号）」や「８８６（台湾の国番号）」、「０８１（日本の国番号）」などで構成し、残り13桁を乱数によって構成することが該当する。
この結果、どこの国で発行された年齢認証IDであるかが一目で確認可能となる。
【図面の簡単な説明】
【００６８】
【図１】この発明に係る年齢認証システムの全体像を示すシステム構成図である。
【図２】ＭＭＫ端末の構成を示すブロック図である。
【図３】年齢認証付電子マネーIDであるジックIDの取得手順を示すフローチャートである。
【図４】年齢認証付電子マネーIDであるジックIDの取得手順を示す画面遷移図である。
【図５】ＭＭＫ端末のスキャナで運転免許証の画像を読み取る様子を示す操作説明図である。
【図６】ＭＭＫ端末のスキャナ読み取った画像の確認画像を示す説明図である。
【図７】年齢認証ID記憶部に格納されるデータの一例を示す図である。
【図８】ジックID記載シート及びジックID告知メールの一例を示す図である。
【図９】ジックIDにＭＭＫ端末からジックポイントをチャージする際の手順を示す図である。
【図１０】電子マネーＤＢの登録データの一例を示す図である。
【図１１】ジックIDにユーザ端末からジックポイントをチャージする際の手順を示す画面遷移図である。
【図１２】ジックポイントを用いた決済の手順を示す画面遷移図である。
【符号の説明】
【００６９】
10    年齢認証システム
12    年齢認証機能付電子マネー管理サーバ
14    年齢認証部
16    年齢認証ID記憶部
18    ポイント充填部
20    電子マネーＤＢ
22    決済処理部
30    ユーザ端末
32    コンテンツサーバ
36    一般電子マネー管理サーバ
38    ＭＭＫ端末
39    操作端末
40    POSレジ端末
41    プリンタ
42    ＣＰＵ
43    メモリ
44    ハードディスク
45    タッチパネル付ディスプレイ
46    スキャナ
47    通信制御部
50    プリンタ
60    ジックID申込画面
61    メールアドレス入力画面
62    キーボード
63    身分証明書読み取り案内画面
65    運転免許証
66    確認画面
67    隠蔽用マスク
68    生年月日表示欄
75    ジックポイントの追加画面
76    テンキーボード
77    金額選択画面
78    確認画面
79    現金支払伝票
80    決済完了報告画面
81    チャージ完了画面
82    ジックポイントの追加画面
83    確認画面
84    決済画面
85    決済完了報告画面
86    チャージ完了画面
90    商品購入画面
91    決済方法の選択画面
92    ジックIDの入力画面
93    決済完了報告画面
94    ダウンロード開始画面
【図１】
2010079877.tif 000003
【図２】
2010079877.tif 000004
【図３】
2010079877.tif 000005
【図４】
2010079877.tif 000006
【図５】
2010079877.tif 000007
【図６】
2010079877.tif 000008
【図７】
2010079877.tif 000009
【図８】
2010079877.tif 000010
【図９】
2010079877.tif 000011
【図１０】
2010079877.tif 000012
【図１１】
2010079877.tif 000013
【図１２】
2010079877.tif 000014